(57)【要約】【解決手段】オンデマンド人的介入を備えた自律ロボットが開示されている。様々な実施形態において、ロボットは、ロボットが人的介入なしに１以上のタスクを自律的に実行する自律動作モードで動作する。ロボットは、次のタスクを自律的に実行するための戦略が利用可能でないと判定する。その判定に応答して、ロボットは、人的介入動作モードに入る。【選択図】図１
2021526464.tif 000002
【特許請求の範囲】
【請求項１】
システムであって、
ロボットを、前記ロボットが人的介入なしに１以上のタスクを自律的に実行する自律動作モードで動作させ、次のタスクを自律的に実行するための戦略が利用可能でないと判定し、前記判定に応答して、人的介入動作モードに入るよう構成されたプロセッサと、
前記プロセッサに接続され、前記ロボットの１以上のアクチュエータに制御値を通信するよう構成された通信インターフェースと、
を備える、システム。
【請求項２】
請求項１に記載のシステムであって、
前記プロセッサは、前記ロボット内に備えられている、システム。
【請求項３】
請求項１に記載のシステムであって、
前記ロボットを前記自律動作モードで動作させることは、前記ロボットによって実行される高レベル動作を受信することを含む、システム。
【請求項４】
請求項３に記載のシステムであって、
前記高レベル動作は、ユーザインターフェースを介して受信される、システム。
【請求項５】
請求項３に記載のシステムであって、
前記高レベル動作は、前記ロボットによって操作される１以上のアイテムと、前記アイテムの各々について、前記アイテムを取得するソース位置および前記アイテムを配置する目標位置の一方または両方と、を識別する、システム。
【請求項６】
請求項３に記載のシステムであって、
前記ロボットを前記自律動作モードで動作させることは、前記高レベル動作を実行するために前記システムを初期化することを含む、システム。
【請求項７】
請求項６に記載のシステムであって、
初期化することは、ロボットの位置、ロボットのポジション、ロボットの状態、ロボットのコンテキスト、および、ロボットの環境、の内の１以上を決定することを含む、システム。
【請求項８】
請求項３に記載のシステムであって、
前記ロボットを前記自律動作モードで動作させることは、前記高レベル動作を実行するための計画を人的介入なしに決定することを含む、システム。
【請求項９】
請求項８に記載のシステムであって、
前記計画は、前記動作を完了させるために実行されるタスクのセットを含み、前記タスクのセットは、前記１以上のタスクを含む、システム。
【請求項１０】
請求項９に記載のシステムであって、
前記タスクのセットは、少なくとも部分的に順序付けられたタスクのセットを含む、システム。
【請求項１１】
請求項９に記載のシステムであって、
前記ロボットを前記自律動作モードで動作させることは、実行される各タスクおよび該当する場合には各タスクの各構成サブタスクについて、前記タスクまたはサブタスクを実行するための戦略を再帰的に実行することを含む、システム。
【請求項１２】
請求項１１に記載のシステムであって、
前記戦略は、前記タスクまたはサブタスクを実行するために適用される前記ロボットの１以上のスキルに関連する、システム。
【請求項１３】
請求項１に記載のシステムであって、
前記人的介入モードで、前記ロボットは、遠隔操作で制御されるよう構成されている、システム。
【請求項１４】
請求項１に記載のシステムであって、
前記人的介入モードに入ることは、人間のオペレータに遠隔操作を開始させることを含む、システム。
【請求項１５】
請求項１に記載のシステムであって、
前記プロセッサは、前記人的介入モード時に、
前記ロボットの遠隔操作と、前記ロボットに関連する高レベル動作の完了までの進捗とを監視し、
前記高レベル動作の完了に関連する次のタスクを自律的に実行するための戦略を決定し、
前記次のタスクを実行するための前記戦略を実施することなどによって、前記自律動作モードを再開するよう構成されている、システム。
【請求項１６】
請求項１に記載のシステムであって、
前記ロボットは、各々が関連位置にあると共に各々が対応するプロセッサを有する複数のロボットに含まれる第１ロボットを含み、前記システムは、さらに、前記ロボットから現在選択されている１のロボットの遠隔操作を可能にするためのインターフェースを備える、システム。
【請求項１７】
請求項１６に記載のシステムであって、
複数のロボットに含まれる２以上のロボットが、同じ関連位置に配置される、システム。
【請求項１８】
方法であって、
ロボットを、前記ロボットが人的介入なしに１以上のタスクを自律的に実行する自律動作モードで動作させる工程と、
次のタスクを自律的に実行するための戦略が利用可能でないことを、前記ロボットを構成するかまたは他の形で関連するプロセッサによって判定する工程と、
前記判定に応答して、前記プロセッサが、人的介入動作モードに入らせる工程と、
を備える、方法。
【請求項１９】
請求項１８に記載の方法であって、
さらに、前記プロセッサが、前記人的介入モードで人的介入を実行する際に人間オペレータの助けになるように、センサ出力データを提供する工程を備える、方法。
【請求項２０】
非一時的なコンピュータ読み取り可能媒体内に具現化されたコンピュータプログラム製品であって、
ロボットを、前記ロボットが人的介入なしに１以上のタスクを自律的に実行する自律動作モードで動作させるためのコンピュータ命令と、
次のタスクを自律的に実行するための戦略が利用可能でないと判定するためのコンピュータ命令と、
前記判定に応答して、人的介入動作モードに入るためのコンピュータ命令と、
を備える、コンピュータプログラム製品。
【発明の詳細な説明】
【背景技術】
【０００１】
ロボットが、製造およびその他の分野においてタスクを実行するために利用されてきた。例えば、ロボットは、人間にとって体に悪いかまたは他の危険がありうる環境でのタスク、人間が加えられるよりも大きい力の印加を必要とするタスク、および、長時間にわたって高度な正確さおよび一貫性を必要とするタスク、を実行するために利用されてきた。
【０００２】
自律ロボットは、人間の制御も指示も必要とせずに、自動的に少なくともいくつかのタスクを実行する。例えば、自動ロボットは、典型的には制御された環境（工場など）で、反復的および／または他の形で予め決められたタスクおよびタスクのシーケンスを実行するために利用されてきた。ごく最近では、自動運転車、配達ドローン、および、その他の自律車両が開発中である。
【０００３】
ロボット工学の分野での遠隔操作とは、オペレータによるロボットの遠隔操作のことである。例えば、ロボットは、熟練した人間のオペレータの制御下で、手術を行う、爆弾を処理する、および、その他のタスクを実行するために利用されてきた。
【図面の簡単な説明】
【０００４】
以下の詳細な説明と添付の図面において、本発明の様々な実施形態を開示する。
【０００５】
【図１】オンデマンド遠隔操作を備えた自律ロボットの一実施形態を示すブロック図。
【０００６】
【図２】オンデマンド遠隔操作を備えた自律ロボットの一実施形態を示すブロック図。
【０００７】
【図３】オンデマンド遠隔操作を備えた自律ロボットを遠隔操作で制御するためのシステムの一実施形態を示すブロック図。
【０００８】
【図４】オンデマンド遠隔操作を備えた自律ロボットを制御するための処理の一実施形態を示すフローチャート。
【０００９】
【図５】オンデマンド遠隔操作を備えた自律ロボットの一実施形態における動作状態を示す状態図。
【００１０】
【図６】オンデマンド遠隔操作を備えた自律ロボットを自律動作状態で制御するための処理の一実施形態を示すフローチャート。
【００１１】
【図７】遠隔操作（人的介入）状態で動作する自律ロボットの自律制御を監視および再開するための処理の一実施形態を示すフローチャート。
【００１２】
【図８】オンデマンド遠隔操作を備えた複数の自律ロボットの一対多の制御を提供するためのシステムの一実施形態を示すブロック図。
【００１３】
【図９】オンデマンド遠隔操作を備えた複数の自律ロボットの一対多の制御を提供するための処理の一実施形態を示すフローチャート。
【００１４】
【図１０】先制的に人間の支援を得るための処理の一実施形態を示すフローチャート。
【発明を実施するための形態】
【００１５】
本発明は、処理、装置、システム、物質の組成、コンピュータ読み取り可能な格納媒体上に具現化されたコンピュータプログラム製品、および／または、プロセッサ（プロセッサに接続されたメモリに格納および／またはそのメモリによって提供される命令を実行するよう構成されたプロセッサ）を含め、様々な形態で実装されうる。本明細書では、これらの実装または本発明が取りうる任意の他の形態を、技術と呼ぶ。一般に、開示された処理の工程の順序は、本発明の範囲内で変更されてもよい。特に言及しない限り、タスクを実行するよう構成されるものとして記載されたプロセッサまたはメモリなどの構成要素は、ある時間にタスクを実行するよう一時的に構成された一般的な構成要素として、または、タスクを実行するよう製造された特定の構成要素として実装されてよい。本明細書では、「プロセッサ」という用語は、１または複数のデバイス、回路、および／または、コンピュータプログラム命令などのデータを処理するよう構成された処理コアを指すものとする。
【００１６】
以下では、本発明の原理を示す図面を参照しつつ、本発明の１または複数の実施形態の詳細な説明を行う。本発明は、かかる実施形態に関連して説明されているが、どの実施形態にも限定されない。本発明の範囲は、特許請求の範囲によってのみ限定されるものであり、本発明は、多くの代替物、変形物、および、等価物を含む。以下の説明では、本発明の完全な理解を提供するために、多くの具体的な詳細事項が記載されている。これらの詳細事項は、例示を目的としたものであり、本発明は、これらの具体的な詳細事項の一部または全てがなくとも特許請求の範囲に従って実施可能である。簡単のために、本発明に関連する技術分野で周知の技術事項については、本発明が必要以上にわかりにくくならないように、詳細には説明していない。
【００１７】
オンデマンド遠隔操作を備えた自律ロボットが開示されている。様々な実施形態において、本明細書に開示するロボットは、ロボットがそのタスクを実行するためのスキルおよび戦略を有するタスクまたはタスクのセットを自律的に実行するよう動作する。様々な実施形態において、タスクまたはタスクのセットは、人間のユーザもしくは別のロボットまたはシステムによって、ロボットに割り当てられてよい。いくつかの実施形態において、割り当てられたタスクまたはタスクのセットは、１以上のプリミティブコマンド、目的、コンテキスト情報、および、変数、ならびに／もしくは、ロボットに提供されたその他のコマンドおよびデータを用いて、定義されてよい。ロボットは、例えば、その環境、および、ロボットが働きかける対象物に対して、自身を方向付けるために、初期化処理を実行する。いくつかの実施形態において、ロボットは、割り当てられたタスクまたはタスクのセットを実行するために計画を立て、その計画を実施し始める。ロボットが、タスクまたはタスクのセットの完了に向かって前進するために実行すべき次の動作を決定できない状態に達した場合、ロボットは、介入（例えば、人間のオペレータによる介入）をトリガする。いくつかの実施形態において、人間またはその他のオペレータが、例えば遠隔操作を介して、ロボットを制御して、タスクまたはタスクのセットを（さらに）実行する、および／または、ロボットが自律動作を再開できる状態にロボットを復旧させる。
【００１８】
様々な実施形態において、本明細書に開示するロボットは：物理環境と相互作用するために利用できる１以上の物理的要素と；物理的要素を用いて位置決めして力を印加するための１以上のアクチュエータと；アクチュエータの制御を介して物理的要素による移動および力の印加を制御するよう構成された１以上のプロセッサと、を備えてよい。様々な実施形態において、１以上のプロセッサは、自律動作、遠隔操作、または、その両方で、ロボットを制御するよう構成された、ロボットに一体化された１以上のプロセッサ、ならびに／もしくは、ローカルおよび／またはリモートコンピュータを構成する１以上のプロセッサを含んでよい。
【００１９】
図１は、オンデマンド遠隔操作を備えた自律ロボットの一実施形態を示すブロック図である。図の例では、環境１００内で動作する自律ロボットが、固定ベース１０４に取り付けられたロボットアーム１０２を含む複数の関節セグメントを備える。ロボットアーム１０２は、ロボットアーム１０２とロボットアーム１０２の遠位端に取り付けられたグリッパ１０８とを操作するよう構成されたコントローラ１０６に接続されている。いくつかの実施形態において、コントローラ１０６は、ロボットアーム１０２および／またはグリッパ１０８を含む剛性要素の間のそれぞれのジョイントの各々に構成されたモータへ、電圧および／またはその他の信号、入力など供給して、対応するトルクをそれぞれのモータに印加させることで、モータの回転子に結合された要素をモータの非回転子が結合された要素に対して移動させることにより、ロボットアーム１０２およびグリッパ１０８を制御する。
【００２０】
図１に示す例において、ロボットアーム１０２は、テーブルまたはその他の表面１１０から、アイテム（図の例では、異なる形状のアイテム１１２、１１４、および、１１６など）をピックアップして、コンベヤベルト１１８の上にそれらを配置するために用いられている。図に示すように、ロボットアーム１０２は、以前に、コンベヤベルト１１８上にアイテム１２０を配置するために用いられ、コンベヤベルト１１８は、アイテム１２０がまもなくコンベヤベルト１１８から目的地１２２へ落ちるような方向に回転している。
【００２１】
様々な実施形態において、図１に示した「ピックアンドプレース」動作は、ロボットアーム１０２と、グリッパ１０８と、コントローラ１０６とを備えたロボットによって、少なくとも部分的には自律動作モードで実行される。例えば、いくつかの実施形態において、コントローラ１０６および／または１以上のその他の制御装置（プロセッサ、メモリ、および、その他の構成要素を備えたコンピュータなど）は、図１に示したピックアンドプレース動作を実行するようプログラムされる。例えば、いくつかの実施形態において、プログラマまたはその他のオペレータが、ロボットの環境１００と、一方ではテーブル１１０上のアイテム（または、いくつかの実施形態においては、テーブル１１０に関連する座標のセットまたはその他の位置）に対する、および、コンベヤベルト１１８に対する、ロボットのポジションとを認識させるよう、ロボットをプログラムまたはその他の方法で構成した可能性がある。
【００２２】
いくつかの実施形態において、ロボットは、戦略のライブラリまたはその他のリポジトリを用いて、ピックアンドプレース動作および／またはその一部を実行するようプログラムまたはその他の方法で構成される。例えば、ロボットは、その現在位置および環境１００の認識を用いてテーブル１１０の上方の位置にグリッパ１０８を位置付けるよう構成されてよい。コンピュータビジョンまたはその他の技術が、次にピックアップするアイテムの識別および選択のために用いられてよく、アイテムをピックアップするための戦略が、自律的に（例えば、アイテムの位置、形状、向き、提示された側面、テクスチャ、剛性などに基づいて）選択されてよい。例えば、図１に示す例において、ロボットは、アイテム１１４を、図に示すように、前側および後側に実質的に平行な平坦面を提示するものとして認識してよく、アイテム１１４をピックアップする戦略として、アイテム１１４の上方にグリッパ１０８を位置付け、アイテム１１４の前面および背面と整列した位置にフィンガを合わせるようにグリッパ１０８を回転させ、一方のフィンガが平坦な前面に係合すると共に他方のフィンガが平坦な背面に係合する状態でアイテム１１４をつかむ戦略を選択してよい。
【００２３】
様々な実施形態において、ロボットアーム１０２と、グリッパ１０８と、コントローラ１０６とを備えたロボットは、遠隔操作による介入を自律的に促す。いくつかの実施形態において、図１に示すピックアンドプレース動作を実行する過程で、ロボットがその動作を（さらに）実行するための（次の）戦略を決定できない状態に至った場合、ロボットは、遠隔操作で手助けするように（この例では）遠隔オペレータに促す。
【００２４】
図の例において、コントローラ１０６は、ネットワーク１２４を介して遠隔操作コンピュータ１２６に接続されている。いくつかの実施形態において、遠隔操作コンピュータ１２６は、例えば、ネットワーク１２４を介してコントローラ１０６へ高レベル命令を通信することによって、自律モードでのロボットの動作に関与してよい。様々な実施形態において、コントローラ１０６および遠隔操作コンピュータ１２６の一方または両方は、例えば、ロボットが動作の中の次のタスクまたはステップを実行（完了）するために利用可能な戦略を持たない状態に至った場合に、遠隔操作による介入を促してよい。
【００２５】
例えば、図１をさらに参照すると、アイテム１１４が落とされて、三角形の側面をロボットに提示する向きで、平坦な側の一方を下にして着地した場合、いくつかの実施形態において、ロボットは、アイテム１１４をピックアップするために利用可能な戦略を持たない場合がある、ならびに／もしくは、タイムアウトするか、または、アイテム１１４をピックアップするための試みについて設定された回数を使い果たす場合がある。それに応じて、遠隔操作オペレータ１３０は、遠隔操作を通して介入するよう促されてよく、手動入力装置１２８を用いて、ロボットの動作を制御してよい。例えば、遠隔操作オペレータ１３０は、アイテム１１４をピックアップして、アイテムをコンベヤベルト１１８上に配置するように、ロボットを操作してよい。また、遠隔操作オペレータは、ロボットを用いて、アイテム１１４の向きを、自律ロボットがアイテム１１４をピックアップするために利用可能な戦略を持つと期待される（または可能性が高い）向きに変更してもよい。
【００２６】
図の例において、遠隔操作は、手動入力装置１２８（例えば、ハプティック入力装置）の操作を通して人間のオペレータ１３０によって実行されてよい。人間のオペレータ１３０（時に、遠隔操作オペレータとも呼ばれる）は、遠隔操作コンピュータ１２６を構成するおよび／または関連する表示装置に表示された情報によって、遠隔操作を開始するように促されてよい。１以上のセンサ１３４からのデータが、ネットワーク１２４および遠隔操作コンピュータ１２６を介して人間のオペレータ１３０に提供されてよい。いくつかの実施形態において、センサ１３４は、遠隔操作オペレータ１３０に表示されて、遠隔操作を介して動作または動作の一部の実行を行うおよび／または完了するために用いられるビデオフィードを生成するよう構成されたロボット上あるいは環境１００内のカメラを含む。様々な実施形態において、カメラは、低遅延、高スループットの接続で接続されており、かかる接続は、例えば、アナログＲＦベース通信、ＷｉＦｉ、Ｂｌｕｅｔｏｏｔｈ、および、サブＧＨｚの内の１以上を含むが、それらに限定されない。いくつかの実施形態において、異なるタイプのカメラが併用される。例えば、２つのＲＧＢ可視化カメラ、４つの深度カメラ、２つのＩＲカメラなど、異なる通信速度、帯域幅、および／または、その他の特徴を持つ複数のカメラが用いられてもよい。
【００２７】
様々な実施形態において、様々な異なるセンサ１３４を用いて遠隔操作が実行されてよい。いくつかの実施形態において、これらのセンサは、ロボットが「スタック」しているか否かを判定する際にロボットを導きうる、および／または、遠隔操作を簡単にしうる。いくつかの実施形態において、センサは、遠隔操作の様式を、直接的なハプティック制御から、ますます抽象的なエグゼクティブコマンド（ピックアップする対象物をマウスでクリックする、または、音声転写装置に向かって「棚を開け（ｏｐｅｎ  ｓｈｅｌｆ）」と言う、など）へ移行させるのに役立つ。
【００２８】
様々な実施形態において用いられるセンサ１３４の例は、環境との相互作用および特定の「スタック」シナリオ、および／または、ロボット（または遠隔操作オペレータ）の近くの未知のエージェントの存在、を検出するよう構成されたデジタルスイッチを含む。さらなる例は、動作（つかむ動作など）の成功または失敗を判定する手またはロボット上の力センサまたは圧力センサを含む。一連の失敗の後に、ロボットは、自身が「スタック」していると判定する。別の例は、計画されたおよび／または他の形で期待される動きの軌道を正確に辿っているか否かを知るためにロボットによって利用されうる１以上のセンサ（ロボット関節上の位置センサなど）である。期待された軌道を正確に辿っていない場合、環境との接触を起こした可能性があり、ロボットは、「スタック」したので人的介入を求める必要があると結論づけるようプログラムされてよい。
【００２９】
様々な実施形態において、ロボットは、人間が高レベルのエグゼクティブコマンド（容器Ａを開く、または、アイテムＹをピックアップする、など）を用いて遠隔操作を提供するのを容易にするために、情報を前処理してよい。様々な実施形態における情報の前処理の例は、以下を含むがこれらに限定されない：
１）ロボットが、深度カメラフィードおよび通常のＲＧＢカメラフィードを組み合わせることで、人間オペレータにより良好な遠近感を与える。
ａ）状況をより良好に分析および解釈するために人間が３Ｄで環境と相互作用できる「３Ｄビデオゲーム」のようなインターフェースが与えられる。
ｂ）あるいは、ＶＲインターフェースが、環境内に完全に没入するために用いられうる。
２）環境のシーンが、人間に（必ずしも）完全には露出されない。
ａ）その代わりに、ロボットが重要であると見なした環境の部分のみが人間に対して示される。
３）グリッパの操作がハプティック遠隔操作を通して手動でなされ、オペレータへの通常のＲＧＢカメラフィードを通して奥行きがうまく認識されない場合に：
ａ）グリッパは、グリッパがどれだけ環境との接触に近いのかに関して、（人間のオペレータに対して表示されたグリッパに仮想的にオーバレイされた）色を変化させ、奥行きに関する視覚的なフィードバックをオペレータに与えることができる。
ｂ）ロボットのグリッパまたはその他の部品は、ロボットが環境にどれだけの力を印加するのかに関して、（仮想的にオーバレイされた）色を変化させ、高価な装置なしに接触／力を良好に知覚することを可能にする。
４）人間のオペレータがロボットを制御している時、ロボットの動く速さが、人間にとってはわからない：
ａ）人間は、表示されたゲージを調節して／見て、速度を設定できる。
ｉ）これでは、ロボットがどれだけ速く動くのかを推測するのは人間にとって難しい。
ｂ）その代わり、ロボットの視覚化により、現在の速度設定に対してサイズが変化する透明なボールを手の周りにオーバレイできる。ボールのサイズは、所与の速度に対する最大移動範囲を表し、速度設定が現実世界の動きにどれだけ影響するのかを示す。
【００３０】
いくつかの実施形態において、ロボットからのデータが、センサ１３４からのデータ、コンテキスト情報、および／または、過去の知識情報で増補される。いくつかの実施形態において、ロボットは、ロボットの状況を人間のオペレータへより十分に伝えるために、かかる追加を人間オペレータに提供するよう構成されており、それにより、人間オペレータは、遠隔操作を介してより良好かつ迅速に支援を提供できるようになる。例は、以下を含むが、これらに限定されない：
１）ロボットが、機能しうる一対の自律的戦略を選び、人間が、最良の戦略を選択する。
ａ）人間が、何を選択すべきかを良好に理解できるように、カメラによってキャプチャされた環境の上に異なる戦略を載せるオンスクリーンオーバーレイが示されうる。
２）環境のグローバルビューを示す代わりに、ロボットは、人間にとって分析を容易にするために、具体的な質問をすることができる。
ａ）対象物のピックアップ
ｉ）テーブルの上／容器の中の対象物の全体ビューを示して、対象物の中心をクリックするようユーザに求める代わりに、ロボットがニューラルネットワークまたは何らかのその他の予測アルゴリズムを通して選択した自律的評価を提供できる。
ｉｉ）人間は、対象物ごとまたはグローバルベースで、評価が正確か否かを単に選択し、これは、単にイエス／ノーコマンドであり、対象物の中心をピンポイントで示すよりもはるかに簡単である。
３）シナリオ：箱からコンベヤベルトへのピックアンドプレース
ａ）箱の中に８つの未知の物体がある。異なる形状、サイズ／色、柔らかさなど。
ｂ）ロボットのジョブは、すべての物体をひとつずつピックアップしてベルトに置くことである。
ｃ）ロボットは、８つの物体の内の５つをピックアップする。
ｄ）６番目の物体について、ロボットは、大まかに形状を予測する。２回連続で、その形状評価に基づいてつかむ（異なった把持ポイントで）。両方とも、つかむのに失敗する。物体がぐにゃぐにゃであるかまたは変形しやすいことが理由である。
ｅ）ロボットには、ぐにゃぐにゃの物体を扱う方法がわからない。
ｆ）ロボットは、助けのコールをトリガして、スタックしていることを伝え、物体がぐにゃぐにゃであることが可能性の高い理由であると言及する。
４）．シナリオ：コンベヤベルトから棚へのピックアンドプレース
ａ）一連の物体がコンベヤベルトを流れてくる。
ｂ）ロボットは、ベルトからそれらをピックアップして棚に置く必要がある。
ｃ）データベースシステムが、期待されるアイテムのタイプ（形状、重さ、バーコードなど）をロボットに通信する。
ｄ）ロボットは、ベルト上の未知の物体と遭遇する（例えば、異なる重さであるが、同じ形状）。
ｅ）通常は、ロボットが異なる物体と遭遇した場合、「エクストラ」容器の中にそれを置く。
ｆ）探して、エクストラ容器が見つからないことがわかる（例えば、視覚ベースの検索では、エクストラ容器の視覚的形状／ｉｄを見つけることができない）。
ｇ）ロボットには、新しい物体の扱い方がわからない。ロボットは、助けのコールをトリガして、未知の物体があり、エクストラ容器が見つからないことを伝える。
【００３１】
いくつかの実施形態において、オンデマンド遠隔操作モードで、自律ロボットは、環境１００とロボットの状態とを監視し続ける。いくつかの実施形態において、自律ロボットは、ロボットが自律的に動作を継続するために利用可能な戦略を持つ条件にロボットおよび／または環境が復旧されたことを認識するよう構成される。いくつかの実施形態において、自律ロボットは、遠隔操作オペレータ１３０に対して、遠隔操作を中断して、自律動作の再開を許可するかまたは積極的に再開させるよう促す。いくつかの実施形態において、自律モードで動作を継続するための戦略の利用可能性を認識した後に、自律ロボットは、自発的にロボットの制御を引き継ぎ、システムは、手動入力装置１２８を介して遠隔操作オペレータ１３０によって提供される入力への応答を停止し、ロボットは、自律動作を再開する。
【００３２】
いくつかの実施形態において、ロボットは、解決しなければスタックしうる状況を、予測して先制的に避ける、および／または、解決するために人間の支援をスケジュールするよう構成される。例えば、ロボットが、３つのアイテムＡ、Ｂ、および、Ｃをピックアップするタスクを与えられ、Ａはピックアップすることができ、Ｂはピックアップすることができる可能性があり、Ｃはピックアップすることができないと判断すると仮定する。様々な実施形態において、ロボットは、Ｂをピックアップできること、および、Ｃをピックアップできないという予測、についての不確実性を予測する計画を実施する。例えば、１つのアプローチでは、ロボットは、Ｃおよび場合によってＢで助けを必要とすると結論づけ、助けが必要になると予測する時刻に（例えば、Ａをピックアップして、Ｂをピックアップする試みを設定回数だけ実行する時間が経った後に）人間の支援をスケジュールする。人間の助けをスケジュールした時刻に、ロボットが、Ａをピックアップし、Ｂをピックアップするのに成功していた場合、人間は、Ｃについて助けるよう促される。ロボットが、人的介入をスケジュールされた時刻までにＢのピックアップに成功しなかった場合、例えば、ＢおよびＣでの支援が要求される。別のアプローチでは、ロボットは、遠隔操作オペレータへのタスク関連情報の直接要求を先制的にトリガしてもよい。例えば、ロボットは、ロボットがアイテムＣをどのようにつかむべきかを指示するように遠隔操作オペレータに求めてよく、その間に、ＡおよびＢをピックアップする。ロボットがアイテムＣのピックアップに取りかかる時間までに、人間の遠隔操作オペレータが戦略を提供した場合、ロボットの動きはシームレスになる。そうでなければ、ロボットは、Ｃのピックアップへの助けを要求する。
【００３３】
本明細書に開示するように、先を見越しておよび／または先制的に、人間の支援を得るよう構成されたロボットのさらなる例は、以下を含むが、これらに限定されない：
・ロボットが、予期しない障害物（人間）に遭遇する。かかるケースにおいて、ロボットは、停止または減速し、障害物を回避する／通り過ぎる助けを人間のオペレータに求める。いくつかの実施形態において、障害物検出のためのセンサは、検出を実行するソフトウェアと組み合わせられたＲＧＢカメラ、深度カメラ、熱（ＩＲ）カメラを含む。
・ロボットが、テーブルから「ガラスのコップ」を回収することを求められるが、その視覚システムは、コップを見ない。したがって、「コップがテーブルの上のどこにあるか教えてください」という非常に具体的な質問を行う。人間は、視覚インターフェースを通して、テーブル上の１セットの（ラベル付けされていないが区分された）物体を提示される。人間は、この視覚インターフェースを用いて、例えば、対応する画像上でマウスクリックすることで、ロボットにコップを指し示す。この目的のためのセンサは、ＲＧＢおよび深度カメラを含む。
・ロボットが、４つの物体を提示され、組み立てタスクを実行するよう命令される。ロボットは、複数組のこれらの物体を組み立てる方法を「知っている」が、正しい順序を知らない。人間は、視覚インターフェースを通して物体を提示され、正しい順序を提供するよう求められる。この指示に従って、ロボットは、自律的にアイテムの組み立てを進める。
・移動ロボットが、冷蔵庫からオレンジを取ってくるよう求められる。環境が改変されている（冷蔵庫が移動された）ので、冷蔵庫を位置特定できない。人間のオペレータは、ロボットを冷蔵庫まで誘導するよう求められ、これは、ライブ視覚フィードバックと共にジョイスティックまたはハプティック装置を用いてなされる。ロボットは、狭い通路を通して衝突しない軌道を維持するのに役立つ超音波近接センサを備えている。人間が壁に向かってロボットを駆動させた場合、ロボットは、必要な程度まで進路を修正するが、「衝突しない」入力を維持する。ロボットが接近して冷蔵庫を見ると、自律的に冷蔵庫を検出し、「アリガトウ、ニンゲン」と言い、取ってくるタスクを自律的に進める。
・ロボットが、挿入タスクの実行を求められる。（ペグインホール）。深度カメラフィードの遮断により、ロボットは、ホールを見つけられない。人間は、ロボットのハンドをゴールに向かって誘導する助けを求められる。一般に、これは、高次元の問題であり、位置および力のフィードバックを必要とする。しかしながら、ロボットは、表面に向かう所与の垂直抗力と、姿勢制御とを自律的に維持する。直線的にホールに向かって移動するように誘導するだけでよい。
・ロボットが、移動するコンベヤベルトから様々な物体をピックアップする。ロボットからコンベヤベルト上の上流で、カメラまたはその他のセンサが、ロボットに到達する前に物体を検出する。システムは、この情報を用いて、ロボットが自律的に物体を操作できるか否かを判定する。できない場合、物体と相互作用する方法を記述するために、ＶＲインターフェースまたはＧＵＩにおいてロボットおよび物体が相互作用するシミュレーションなどを通して、かかる物体を扱う方法をロボットに伝えるように、人間の遠隔操作のコールが発行される。人間との相互作用は、物体がロボットに到達する前に完了し、ロボットは、人間の誘導情報を用いて物体と相互作用するため、人間の遠隔操作での遅延がない。
【００３４】
図１に示した例において、遠隔操作コンピュータ１２６、手動入力装置１２８、および、遠隔操作オペレータ１３０は、ロボットが動作している環境１００から離れた位置１４０にあることが図示されている。様々な実施形態において、遠隔操作関連の資源（例えば、１２６、１２８、１３０）は、環境１００と同じ（または近くの）物理的位置を含め、どこに配置されてもよい。
【００３５】
図２は、オンデマンド遠隔操作を備えた自律ロボットの一実施形態を示すブロック図である。図の例において、ロボット２０２は、環境２００内で、必要に応じて棚２０４上の容器Ａ、Ｂ、Ｃ、および、Ｄからアイテムを選択して箱２０６に追加する「キッティング」動作を実行するよう動作する。この例において、ロボット２０２は、トラクタースタイルの移動ベース上に取り付けられたロボットアームを含む。ロボット２０２は、無線通信を介してコントローラ２０８の制御下で作動される。図の状態において、ロボット２０２は、その遠位端のグリッパにアイテム２１０を持っている。例えば、ロボット２０２は、例えば、容器に隣接する位置に自身を推進させ、容器を引いて開け、アイテム２１０を位置特定してピックアップ対象として識別するために調べ、（例えば、アイテム２１０を保持しないロボットアームの部分で）容器を押して閉じ、例えば、箱２０６の中へアイテム２１０を落とすまたは置くことができるように、箱２０６に隣接する位置の方向に自身を推進することによって、容器Ａ、Ｂ、Ｃ、および、Ｄの内の対応する容器からアイテム２１０をピックアップしえた。
【００３６】
図１に示したロボットおよび環境と同様に、図２に示す例のロボット２０２は、リモート位置２４０に位置する遠隔操作コンピュータ２２６、手動入力装置２２８、および、遠隔操作オペレータ２３０からネットワーク２２４を介した通信を通して実行されるオンデマンド遠隔操作を呼び出すよう構成される。例えば、ロボット２０２は、いくつかの実施形態において、例えば、棚２０４上の容器の近くに自身を配置し、容器を開き、ピックアップするアイテムを識別し、容器の中にハンドを入れ、アイテムをつかみ、箱の近くの位置へ自身を推進し、箱の中にアイテムを配置し、容器を閉め、完了するまで反復するための戦略を有してよい。任意の時点に、ロボットが自律的に進めるための戦略を持たない状態に達した場合、様々な実施形態において、ロボットは、オンデマンド遠隔操作の要求を生成する。例えば、図２に示す例において、容器が開かず、地面に落ちて、傾斜した姿勢またはその他の認識されない姿勢などで引っかかった場合、もしくは、アイテムを含むと期待された容器が空であるかまたは認識されないアイテムを有する場合、もしくは、必要なアイテムに到達してつかむための戦略をロボットが持たないような向きにアイテムが方向付けられている場合などに、ロボットは、様々な実施形態において、この例における遠隔操作オペレータ２３０に介入を促す。
【００３７】
図１のピックアンドプレース動作および図２のキッティング動作は、本明細書に開示するオンデマンド遠隔操作を備えた自律ロボットを用いて実行できる非限定的な動作の例である。
【００３８】
図３は、オンデマンド遠隔操作を備えた自律ロボットを遠隔操作で制御するためのシステムの一実施形態を示すブロック図である。図の例において、システム３００は、手動入力装置（この例では、ハプティック装置３０４）の操作を通して提供される入力を人間の遠隔操作オペレータ３０２から受信する。いくつかの実施形態において、ハプティック装置３０４は、ＮＯＶＩＮＴ  ＴＥＣＨＮＯＬＯＧＩＥＳ社によって提供されるＮＯＶＩＮＴ  ＦＡＬＣＯＮハプティック装置など、力フィードバックを提供する手動式入力装置を備える。様々な実施形態において、ハプティック装置３０４以外のおよび／またはそれに加えて１以上の手動入力装置が、遠隔操作を実行するために用いられてよく、かかる装置は、タブレットまたはその他のタッチデバイス、マウス、ボタン／ダイヤルパネル、電話、加速度計ワンド、仮想現実ポインティングデバイス、３Ｄ磁気マウス、カメラによるハンドジェスチャの解釈、などを含むが、それらに限定されない。
【００３９】
いくつかの実施形態において、ユーザは、ハンドル、ノブ、グリップ、または、その他の手動インターフェースを三次元空間で動かし、ハプティック装置３０４は、三次元空間での入力手動インターフェースの動きを表す出力信号を生成する。図の例において、ハプティック装置３０４の出力は、ロボットおよびその利用可能な動作を記述するモデル３０６を用いて解釈される。例えば、モデル３０６は、ロボットおよびその構成部品の物理的寸法および構成を反映してよく、ハプティック装置３０４を介して提供された入力に応答して、ロボットが動作している環境内の三次元空間において、ロボットの制御されたリソース（図１のグリッパ１０８またはロボット２０２のグリッパなど）を動かすためのソリューションを規定してよい。例えば、ロボットアームおよびその構成部品の所与の現在位置に対して、モデル３０６は、ロボットのアクチュエータ（例えば、関節モータ）を制御して現在位置からハプティック装置３０４を介して受信された入力に関連する目標位置へグリッパを移動させるための１以上のソリューションを提供してよい。
【００４０】
図の例において、モデル３０６に照らして解釈されたようにハプティック装置３０４を介して提供された入力に基づいて生成されたロボットコントローラ入力は、ロボットグリッパまたはその他のリソースを目標位置まで移動させるように１以上のモータ３１０を駆動するために、コントローラ３０８に提供される。フィードバック３１２が、モデル３０６とハプティック装置３０４に関連するコンピュータとの一方または両方に提供される。いくつかの実施形態において、フィードバックは、ロボット（例えば、ロボットアーム）の現在のポジションと、その構成部品の位置および向きとを示すことで、モデルを用いて、ハプティック装置３０４を介して受信された入力に応答してロボットアームグリッパまたはその他のリソースを駆動し続けることを可能にする。
【００４１】
いくつかの実施形態において、コンテキスト情報が、ハプティック装置３０４を介して力フィードバックを提供するために受信および利用されてよい。例えば、ロボットが動作している環境の物理的障壁に到達または接近した；ロボットアームのリーチの限界に近づいた；環境中の物理的な物体（ロボットがピックアップした物体など）に接触した、などの結果として、力フィードバックが、ハプティック装置３０４を介して遠隔操作オペレータ３０２に提供されてよい。
【００４２】
様々な実施形態において、モデル（モデル３０６など）を用いて、手動入力装置（ハプティック装置３０４など）を介して提供された入力に基づいてロボットの動作を解釈および制御することは、各関節を個別に制御するなどの代替例と比較して、はるかに直観的かつ容易に、より滑らか、効率的、かつ、連続的な動きで、遠隔操作を実行することを可能にする。
【００４３】
図４は、オンデマンド遠隔操作を備えた自律ロボットを制御するための処理の一実施形態を示すフローチャートである。様々な実施形態において、図４の処理４００は、オンデマンド遠隔操作を自律ロボットに提供するために、自律ロボットを構成するおよび／または他の形で関連する１以上のプロセッサによって実行される。図の例において、動作を実行するための命令またはその他の指示を受信すると、処理４００を実行するロボットは、工程４０２で、その開始ポジション、状態、および、コンテキストを決定する。例えば、ロボットは、ＧＰＳ、オペレータなどによって提供される手動入力、などを用いて、該当する場合に、その構成部品（ロボットアームを構成するセグメントおよび関節など）の位置および向きと共に、自身の現在位置を決定してよい。工程４０２で決定されるコンテキストは、ロボットが操作するよう求められうる物体、コンテナなどのそれぞれの位置、目標位置（例えば、図１のコンベヤベルト１１８、図２の箱２０６など）を含んでよい。
【００４４】
工程４０４で、ロボットは、全部の任務および／または目的を達成するためのタスクのシーケンスを決定する。例えば、図１を参照すると、任務は、テーブル１１０からアイテムをピックアップして、コンベヤ１１８上にアイテムを１つずつ配置することであってよい。または、図２を参照すると、任務は、容器Ａからの１つのアイテムおよび容器Ｄからの２つのアイテムを箱２０６に入れることであってよい。様々な実施形態において、工程４０４で決定されるタスクのシーケンス（またはその他のセット）内の各タスクは、１以上のサブタスクを実行するための１以上のスキルの利用を明示的または暗示的に含んでよい。例えば、図２を参照すると、容器Ａから箱２０６へ１つのアイテムを配置することは、容器Ａの近くの位置へ移動すること、容器Ａを引き出すこと、アイテムを見つけるためにのぞき込むこと、アイテムに到達してピックアップするための戦略を決定すること、アイテムをつかむこと、容器Ａからアイテムを引き出すこと、などを含んでよい。
【００４５】
工程４０６で、ロボットは、すべての任務および／またはその構成要素の完了に向かうベクトルに沿って現在の状態から次の状態へ進むように、次のタスクまたはサブタスクを実行するための戦略を再帰的に決定して実行する（または実行しようとする）。
【００４６】
ロボットがスタックした場合（工程４０８）、例えば、ロボットが、すべての任務の完了に向かって進むように次のタスクまたはサブタスクを実行するのに利用可能な戦略を決定できない場合、ロボットは、遠隔操作による介入を要求するおよび／または待つ（工程４１０）。人間オペレータが遠隔操作で介入すると（工程４１０）、ロボットは、さらなるタスクの実行を自律的に再開してよい（工程４０６）。ずべての任務が完了する（工程４１２）まで、記載した動作が続き（工程４０６、４０８、４１０）、その後、処理（４００）は終了する。
【００４７】
図５は、オンデマンド遠隔操作を備えた自律ロボットの一実施形態における動作状態を示す状態図である。様々な実施形態において、図５の状態図５００は、本明細書に開示するオンデマンド遠隔操作を備えた自律ロボットによって実施される。図の例において、入力またはその他の刺激５０２により、ロボットは、初期化状態５０４に入り、その状態において、ロボットは、その開始ポジション、向き、および／または、その他の状態、環境、および／または、その他のコンテキストデータ、などを決定する。
【００４８】
初期化が成功した場合、ロボットは、直接遷移５０８を通して計画状態５０６に入る。あるいは、ロボットが初期化を完了できなかった場合、ロボットは、遷移５１２を通して、人的介入状態５１０に入り、ロボットの初期化を支援するよう人間のユーザに促してよい。さらなる初期化がロボットによってまだ完了されていない場合、ロボットは、遷移５１４を通して初期化状態５０４に戻る。あるいは、ロボットは、人的介入状態５１０から遷移５１６を通して計画状態５０６に遷移してもよい。
【００４９】
計画状態５０６において、ロボットは、すべての高レベルの任務または目的を達成するために実行される随意に順序付けられた高レベル動作（タスク）のセットを決定する。計画状態５０６において、ロボットは、アームおよび／またはロボットの動きを最小限に抑える、完了までの時間を最短化する、目的地におけるアイテムの空間効率のよい配置を保証することなどによって、目的を効率的に達成するように決定された順序で実行する効率的なサブタスクのセットを決定するよう試みてもよい。計画状態５０６にある間に、この例で、ロボットは、人的介入状態５１０への遷移５１８を通して、計画を支援するよう人間に促してもよい。
【００５０】
計画状態５０６において計画立案が完了すると、この例では、ロボットは、遷移５２２を通して自律動作状態５２０に入る。自律動作状態５２０において、ロボットは、例えば、計画状態５０６で決定された計画に従っておよび／または推進するために、タスクおよび／またはサブタスクを実行することによって、すべての任務および／または目的を達成するよう自律的に動作する。図の例において、ロボットは、自律動作状態５２０から計画状態５０６へ戻ってもよい。例えば、元々の（またはその他の現在の）計画と矛盾する予期せぬ状態またはコンテキストに遭遇した場合、ロボットは、計画状態５０６に戻って、別の計画を提案してよい。
【００５１】
自律動作状態５２０において、ロボットは、オンデマンド遠隔操作を呼び出してよい。例えば、いくつかの実施形態において、ロボットは、すべての任務または目的の完了に向かって進み続けるために実行される必要がある現在または次のタスクまたはサブタスクを実行するのに利用可能な戦略を持たないと判断した場合、遷移５２６を通して人的介入状態５１０へ遷移する。例えば、ロボットは、指示されたタスクまたはサブタスクに、例えば遠隔操作で、介入して実行するよう、人間のユーザに促してよい。
【００５２】
いくつかの実施形態において、遷移５２６を通して自律動作状態５２０から人的介入状態５１０へ入ると、ロボットは、自律動作を再開するための入力が受信されるまで待機する。かかる入力を受信すると、ロボットは、遷移５２８を通して自律動作状態５２０に戻る。いくつかの実施形態において、遷移５２６を通して自律動作状態５２０から遷移した後に人的介入状態５１０で、ロボットは、ロボットのポジション、向き、および、コンテキストデータを連続的および／または定期的に処理して、ロボットが自律動作状態５２０での動作を再開することを可能にする戦略を決定しようとする。戦略が適時に決定された場合、ロボットは、遷移５２８を通して自律動作状態５２０へ戻るよう促してよい。いくつかの実施形態において、ロボットは、自動的に遷移する。いくつかの実施形態において、ロボットは、人間の遠隔操作オペレータに対して、遠隔操作によるロボットの制御を停止して、その代わりに、ロボットが自律動作状態５２０に戻ることを許可するかまたは積極的に戻らせるよう、促す。いくつかの実施形態において、自律動作状態５２０へ戻るために必要な人的介入の程度は、コンテキスト、ロボットの性質および用途などに応じて、構成可能であってよいおよび／または変化してよい。
【００５３】
すべての任務または目的が完了すると、ロボットは、最後のタスクが自律的に実行された場合には遷移５３２を介して、あるいは、最後のタスクが遠隔操作で実行された場合には遷移５３４を介して、終了／レディ状態５３０へ遷移する。
【００５４】
図６は、オンデマンド遠隔操作を備えた自律ロボットを自律動作状態で制御するための処理の一実施形態を示すフローチャートである。様々な実施形態において、図６の処理６００は、図５の自律動作状態５２０で動作する自律ロボットなど、オンデマンド遠隔操作を備えた自律ロボットによって実施される。図の例において、自律状態に入ると（工程６０２）、ロボットは、実行される次のタスクまたはサブタスクを決定する（工程６０４）。ロボットは、次のタスクまたはサブタスクを自律的に実行するためにロボットにとって利用可能な戦略を決定しようと試みる（工程６０６）。ロボットは、次の（または任意の次の）タスクまたはサブタスクを実行するための戦略を（これ以上）持たないと判断した場合、オンデマンド遠隔操作が実行される人的介入状態へ遷移する（工程６１０）。ロボットは、進めるべき戦略を決定した（工程６０６、６０８）場合、決定された戦略を用いて、次のタスクまたはサブタスクを実行する（工程６１２）。成功した場合（工程６１４）、ロボットは、次のタスクへ進み、完了するまで（工程６１６）繰り返す。決定された戦略を試みたが、タスクまたはサブタスクの完了に成功しなかった場合（工程６０６、６０８、６１２、６１４）、ロボットは、タスクまたはサブタスクを実行するための別の戦略を決定しようと試み（工程６０６）、処理は、タスク／サブタスクの実行が成功するかまたはロボットが人的介入動作状態に入るかしない限りは／それまでは、上述のように進む。
【００５５】
図７は、遠隔操作（人的介入）状態で動作する自律ロボットの自律制御を監視および再開するための処理の一実施形態を示すフローチャートである。様々な実施形態において、図７の処理７００は、図５の人的介入状態５１０で動作する自律ロボットなど、オンデマンド遠隔操作を備えた自律ロボットによって実施される。図の例において、人的介入（オンデマンド遠隔操作）状態に入ると（工程７０２）、ロボットは、人間オペレータが遠隔操作でロボットを制御している時に、すべての任務または動作の完了までの進捗；ロボットのポジション、向き、および、状態；ならびに、コンテキストおよび／または環境データ、を自律的に監視する（工程７０４）。ロボットは、実行される次のタスクまたはサブタスクと、次のタスクまたはサブタスクを自律的に実行するためにロボットにとって利用可能な戦略（もしあれば）と、を決定しようと試み続ける（工程７０６）。ロボットは、タスクまたはサブタスクを完了するための戦略をロボットが持っている実行対象タスクまたはサブタスクを決定した場合（工程７０８）、自律動作状態に入る（工程７１０）。いくつかの実施形態において、ロボットは、自動的に自律動作状態に入ってよい。いくつかの実施形態において、ロボットは、自律動作状態への遷移を許可または開始するよう人間のユーザに促すことによって、自律動作状態に入ってもよい。
【００５６】
様々な実施形態において、本明細書に開示する技術は、同じ人間オペレータまたは同じチームのオペレータによる複数のロボット（例えば、異なる位置にある各ロボット）の監視およびオンデマンド遠隔操作を容易にしうる。
【００５７】
図８は、オンデマンド遠隔操作を備えた複数の自律ロボットの一対多の制御を提供するためのシステムの一実施形態を示すブロック図である。図の例において、第１位置８００で動作するロボット８０２に関連付けられたコントローラ８０４；第２位置８２０で動作するロボット８２２に関連付けられたコントローラ８２４；および、第３位置８４０で動作するロボット８４２に関連付けられたコントローラ８４４が各々、第４位置にある遠隔操作コンピュータ８６２へネットワーク８６０を介して接続されている。遠隔操作コンピュータ８６２は、人間のオペレータ８６６によって手動入力装置８６４を介して提供された遠隔操作入力に基づいて、ロボット８０２、８２２、および、８４２の任意の１つを任意の時に制御するよう構成されている。様々な実施形態において、遠隔操作コンピュータ８６２は、コントローラ８０４、８２４、および、８４４の内の１以上からネットワーク８６０を介して、そのコントローラによって制御されるロボットがオンデマンド人的介入（遠隔操作）を必要とする旨の指示を受信するよう構成されている。それに応答して、遠隔操作コンピュータ８６２は、問題のあるロボット、および、それの現在のポジション、状態、コンテキスト、環境など、ならびに、実行されるタスク、に関する情報をユーザ８６６に向けて表示する。遠隔操作コンピュータ８６２は、手動入力装置８６４を介して提供された入力を、問題のあるロボットの動作を制御するための対応する制御信号、コマンド、命令などに対応付けるために、問題のあるロボットのためのモデルを用いる。問題のあるロボットの遠隔操作が完了すると、遠隔操作コンピュータは、遠隔操作を実行する旨の次の指示の受信を待つ監視状態に再び入る。
【００５８】
図８に示した例では、１人の遠隔操作オペレータが、別個の１つのロボット環境で各々動作する多くの異なるロボットを遠隔操作で制御するが、いくつかの実施形態において、１人の遠隔操作オペレータが、一度に同じ環境内の複数のロボットを制御してもよい。例えば、タスクが、物体をピックアップするために２または３つのロボットの協働を求める場合がある。または、タスクが、一山の物体の中の物体を仕分けるために３つのロボットの協働を求める場合がある。いくつかの実施形態において、複数のロボットが、各々を同じ対象物（例えば、物体の山）および目的地（例えば、物体ごとの容器）に向けることなどにより、同じ空間で自律的に共有タスクに取り組むタスクを与えられる。ロボットは各々、割り当てられたタスクを実行するよう自律的に（または協調して）作業する。いずれかの（またはすべての）ロボットがスタックした場合に、人的介入が要求される。
【００５９】
図９は、オンデマンド遠隔操作を備えた複数の自律ロボットの一対多の制御を提供するための処理の一実施形態を示すフローチャートである。様々の実施形態において、図９の処理９００は、コンピュータ（図８の遠隔操作コンピュータ８６２など）によって実行される。図の例では、自律状態で各々動作する複数の位置のロボットが監視される（工程９０２）。ビデオまたはその他のフィードが、例えば、ディスプレイ装置を介して提供されてよい。人的介入（例えば、遠隔操作）を提供するための指示が、所与のロボットおよび／または位置に関して受信された場合（工程９０４）、ロボットの状態およびコンテキスト情報が、人間のユーザに表示され（工程９０６）、ハプティック入力装置またはその他の手動入力装置を介して提供された入力が、遠隔操作で制御されるロボットのための対応する制御入力に対応付けられる（工程９０８）。人的介入（遠隔操作）が完了すると（工程９１０）、問題のあるロボットは、自律動作を再開し、処理９００を実施するシステムは、複数の位置の監視を再開する（工程９０２）。監視および（必要に応じて）人的介入は、すべてのロボットが作業を完了または他の形で終了させる（工程９１２）まで、記載したように継続し、完了後、処理９００は終了する。
【００６０】
いくつかの実施形態において、本明細書に開示する自律ロボットは、ロボットがスタックして、例えば遠隔操作を介して、提供される人間の支援を要求して待つ必要がありうる状況を予測して先手を打つするよう試みる。いくつかの実施形態において、本明細書に開示するロボットは、事前に人間の支援を得る（例えば、アイテムＣのようなアイテムをピックアップする方法を教えてもらう）、および／または、必要であると予測される時に提供されるように事前に人間の支援をスケジュールするよう試みる。
【００６１】
図１０は、先制的に人間の支援を得るための処理の一実施形態を示すフローチャートである。様々な実施形態において、本明細書に開示する自律ロボットは、少なくともロボットが予測できる状況に関して、図１０の処理を実施する。いくつかの実施形態において、図１０の処理１０００の全部または一部が、図５に示した例の計画状態５０６中に実行されてよい。図の例において、任務の割り当てを受信すると、ロボットは、その開始位置、状態、および、コンテキストを決定する（工程１００２）。ロボットは、目的を達成する（すなわち、任務を完了する）ためのタスクのシーケンスを決定し（工程１００４）、タスクのシーケンスは、開始状態から任務が完了した完了状態までの１セットの状態を暗示するおよび／または他の形で関連している。ロボットは、タスクおよび／または関連する状態の少なくとも一部について、任務の完了に向かうベクトルに沿ってその状態から次の状態へ進むための戦略を予め再帰的に決定する（工程１００６）。ロボットが人的介入（例えば、遠隔操作、物体の識別、既存の戦略の選択、新しい戦略のロボットへの教示など）を求めることを決定する任意の将来のタスク／状態について（工程１００８）、ロボットは、自律動作を再開する前に人間の支援を得るために、人間の遠隔操作と、自身の自律動作のスケジュールされた中断とをスケジュールすることなどによって、できる限り、予め人間の助けを要求して獲得する（工程１０１０）。ロボットは、できるだけ自律的に動作し、任務が完了する（工程１０１２）まで、必要に応じて、スケジュールされた人間の支援および／または（例えば、ロボットをスタックさせる予期せぬイベントに対して）オンデマンドの人間の支援を得る。
【００６２】
様々な実施形態において、本明細書に開示する技術は、すべての動作が完了するまで実行されることを保証するために、必要な時と場合に、人的介入をオンデマンドで提供することで、いくつかの実施形態では複数のリモート位置で同時に、より高度な器用さを必要とするより複雑なタスクが自律的に実行されることを可能にしうる。
【００６３】
上述の実施形態は、理解しやすいようにいくぶん詳しく説明されているが、本発明は、提供された詳細事項に限定されるものではない。本発明を実施する多くの代替方法が存在する。開示された実施形態は、例示であり、限定を意図するものではない。
【図１】
2021526464.tif 000003
【図２】
2021526464.tif 000004
【図３】
2021526464.tif 000005
【図４】
2021526464.tif 000006
【図５】
2021526464.tif 000007
【図６】
2021526464.tif 000008
【図７】
2021526464.tif 000009
【図８】
2021526464.tif 000010
【図９】
2021526464.tif 000011
【図１０】
2021526464.tif 000012
【国際調査報告】
2021526464.tif 000013